(57)【要約】      （修正有）【課題】組立の自由度を多くして、ネジや釘、金具等の取付のため工具を不要とし、材料の重複による無駄をすくなくして、かつ組立にあたっての技量を必要とせず、組立バリエーションが無数に構築でき容易に組立、組替えができる組立家具。【解決手段】４辺に一方向から嵌合できる凹凸を有した筒状ボックス１と、筒状ボックス１と筒状ボックス１間の連結用連結板２からなり、筒状ボックス１を単体で用いるか、又は複数個の筒状ボックス１の辺同士の凹凸部を嵌合とともに、筒状ボックス１と筒状ボックス１間を連結板２にて組み合わせる。【選択図】図３
2011067511.tif 000002
【特許請求の範囲】
【請求項１】
４枚の板を筒状に板と板を接合してなる筒状ボックス１と筒状ボックス１と筒状ボ    ックス１の連結用の連結板２からなり、筒状ボックス１には板と板の接合部に、筒状    ボックス１の板厚内で連結用凹凸を設け、筒状ボックス１の連結用凹凸に嵌合可能な    凹凸を有する連結板２で構成されることを特徴とする組立家具。
【請求項２】
筒状ボックス１の嵌合部には、対辺に同じ形状の嵌合群ａを２辺と嵌合群ｂを２    辺設けたことを特徴とする請求1項記載の組立家具。
【発明の詳細な説明】
【技術分野】
【０００１】
この発明は、筒状家具を複数個列設、積層してなる、組立家具に関するものである。  
【背景技術】
【０００２】
従来の組立家具は、特許文献１（特開平８−３６６号）には、図９にある様に箱体    を複数個並べ又は積み重ねしており、隣接箱体の連結は木ネジ若しくはボルトナット    で連結、または、図１０の連結ピン９と連結具１０を使用と開示されている。また隣    接箱体間は箱体の材料が重複している。また特許文献２（特開平２００４−３０５３    ３７号）には、隣接箱体の連結はピン、接着剤又圧入嵌合すると開示されている。又    本文献２では基本ボックスの構成材、図１１，１２にある第一基本板材２１、第二基    本板材２２及び連結板の接合端の形状が開示されている。
【先行技術文献】
【特許文献】
【０００３】
【特許文献１】特開平８−３６６号
【特許文献２】特開平２００４−３０５３３７号
【発明の概要】
【発明が解決しようとする課題】
【０００４】
特許文献１及びと特許文献２に開示された組立家具、隣接箱体はピン、木ネジ、接    着剤、連結具連結用部材を用いて組立ており連結部材及び組立用工具も必要となり、    組立・分解に時間がかかる。さらに連結用位置が限定され、組立のバリエーションが    少ない。特許文献１の開示によれば隣接箱体間では材料の重複で無駄が出ていた。
また、特許文献２に開示された組立家具では、基本ボックスの構成材、第一基本板材    、第２基本板材及び３種類の連結板は、相互の連結用として凹凸及び斜面カットや端    面がＶ形状とかなり複雑で精巧な加工が必要でありコスト高が考えられる。
【課題を解決するための手段】
【０００５】
本発明は上記問題を解決する為、筒状ボックス１と連結板２からなる組立家具であ    る。筒状ボックス１の接合部には工具を必要とせず一方向から着脱できる連結用凹凸    を板厚内に設ける。又連結板２の両端にも筒状ボックス１の接合部に適合した凹凸を    設ける。
【発明の効果】
【０００６】
本発明は筒状ボックス１と連結板２の組立は一方向から嵌合できる凹凸を設けるこ    とにより、木ネジ、接着剤、連結具等の組立部材及び組立工具も必要なく容易に組み    替えが行える家具であって、本発明の連結用凹凸を各々筒状ボックス１及び連結板２    を左右斜め上に積み上げる、又連結部の凹凸を前後にずらして組むことにより、多彩    な組み合わせが可能となり、スペース制約やレイアウト、雰囲気にマッチした形状構    成が可能な家具を提供する点にある。また筒状ボックス１の接合部及び連結板２の両    端に板厚内の凹凸とすることにより、筒状ボックス１と連結板２を複数個組立ても材    料の重複は無く材料の無駄は無い。さらに、図４の実施例で示す様に５個の筒状ボッ    クス１と４枚の連結板２のボックス６個分材料で、１．５倍の９個分の筒状ボックス    １同等の収納エリアを設けることが出来る資源の有効活用された組立家具である。
【図面の簡単な説明】
【０００７】
【図１】本発明の筒状ボックスの斜視図である。
【図２】本発明の連結板の（Ａ）左側面図、（Ｂ）正面図、（Ｃ）右側面図である。
【図３】本発明の組立詳細図の斜視図である。
【図４】本発明の実施例の斜視図である。
【図５】本発明の実施例の正面図である。
【図６】本発明の実施例の斜視図である。
【図７】本発明の実施例の斜視図である。
【図８】本発明の他形の斜視図である。
【図９】従来の組立家具図である。
【図１０】従来の組立家具連結具の斜視図である。
【図１１】従来の組立家具図である。
【図１２】従来の組立家具図である。
【実施例】
【０００８】
本発明を図面にて説明する。
図１は本組立家具の基本となる４枚の板を筒状に留め接ぎ、５枚組み等の方法で接合    してなる筒状ボックス１であり、筒状ボックス１の接合部には対辺に同じ形状の嵌合    群ａを２辺と嵌合群ｂを２辺が設けてある。しかし隣接の辺が同じ嵌合凹凸群の配置    でもよい。
【０００９】
嵌合群ａには、筒状ボックス１の接合部板厚ｔ内に凹部１２を２箇所と凸部１１を    ３箇所を設け、凹部１２にはピン１２ａが固定され、凸部１１にはピン１２ａより若    干大きい穴１１ａを設けている。凸部１１は凹部１２より若干小さくできている。嵌    合群ｂには凹部１２を３箇所と凸部１１を２箇所設ける。嵌合群ｂには嵌合群ａと同    様ピン１２ａと穴１１ａが設けてある。
本発明は凹凸の数を５で表示しているが、４以上であればいずれでもよい。
さらに、筒状ボックス正面１イは本図の筒状ボックス１を正面より見て右上、左下が    嵌合群ａの時の本面を示す。又、筒状ボックス裏面１ロを示す。
【００１０】
図２（Ａ）は連結板２の左側面図を示す、（Ｂ）は連結板２の正面図を示す、（Ｃ    ）は連結板２の右側面図を示す。連結板嵌合群ａ１は筒状ボックス１の嵌合群ａと同    じ様に凸部１１＝凸部１３、穴１１ａ＝側穴１３ａ寸法にてなっている。さらに凸部    １３には直穴１３ｂがピン１２ａより若干大穴を有している。連結板嵌合群ｂ１は先    記載と同様に凸部１３と側穴１３ａ、直穴１３ｂが設けてある。
又、本件では、四角形で作図しているが３角形以上であればいずれでもよい。
【００１１】
図３は組立詳細である。Ｂ１の連結板２嵌合群ａ１にＡ１の筒状ボックス１の右下    接続部の嵌合群ｂを上より嵌合し、Ｂ１の連結板２嵌合群ｂ１にＡ２，１筒状ボック    スの左下接続部の嵌合群ａを上から嵌合する。Ａ１の筒状ボックス１の右上接続部嵌    合群ａとＡ２の筒状ボックス１の左上接続部嵌合群ｂにＡ３筒状ボックス１を水平に    １８０度回転ボックス裏面１ロ面として左下接続部嵌合群ｂを、右下接続部嵌合群ａ    を上よりＡ１，Ａ２の筒状ボックス１に挿入する
【００１２】
又、Ｂ２連結板２はＡ１、筒状ボックス１左上接続部の嵌合凹群ｂにＢ２連結板２の    嵌合凸群ａ１を垂直に挿入する。以下筒状ボックス１及び連結板２を先記載通りに組    み重ねる。
図４は筒状ボックス１をＡ１，Ａ２，Ａ３，Ａ４，Ａ５の５個と連結板２を４枚から    組み立てた本発明の組立家具の実施例の一つである。
図５は先組立を元に筒状ボックス１を１０個、連結板２を３枚を同一面で組立てた一    例を示す実施例図である。又、図６は筒状ボックス１を５個と連結板２を４枚を利用    して、Ａ１，Ａ４筒状ボックス１とＢ２連結板２よりｌ／ｎ分Ａ３筒状ボックス１と    Ｂ１，Ｂ４の連結板２を手前に出して組み込み、Ａ２，Ａ５の筒状ボックス１とＢ３    の連結板２もｎ分同様に左側より手前に出して組んだ実施例である。
【００１３】
図７は筒状ボックス１を１０個と連結板２を６枚を利用した実施例である。図８（    Ａ）、（Ｂ）は他案の筒状ボックス４、５を示す。本形状は、上から嵌合したら他方    へ動かすことができない本発明の他案形状の一例である。
【産業上の利用可能性】
【００１４】
本発明の組立家具は筒状ボックス１と連結板２を複数個左右、前後、斜め上に接設    、積層して飾り棚、間仕切り棚、ショーウィンドウの商品棚、テーブル家具等構築す    ることが出来。又、本家具は部屋模様変えに伴う家具の形状変えや、お店でのレイア    ウト変更などに対応して、大きさ、形変更ができる。本家具の組立及び変更時に連結    部材も、工具も必要なく組立、組替えが短時間で行うことが可能となる。さらに一般    的なボックスの積重ねの様にボックスとボックスの接触部に於ける材料の重複が無く    少ない材料で多くの収納スペースを設けることができる、材料の有効活用が図られて    いる家具である。この本発明の組立家具は工業生産が可能である。
【符号の説明】
【００１５】
１筒状ボックス
１イ筒状ボックス正面部
１ロ筒状ボックス裏面部
２連結板
４筒状ボックス（他案１）
５筒状ボックス（他案２）
１１凸部
１１ａ凸部穴
１２凹部
１２ａ凹部ピン
１３連結板凸部
１３ａ側穴
１３ｂ直穴
１４連結板凹部
【図１】
2011067511.tif 000003
【図２】
2011067511.tif 000004
【図３】
2011067511.tif 000005
【図４】
2011067511.tif 000006
【図５】
2011067511.tif 000007
【図６】
2011067511.tif 000008
【図７】
2011067511.tif 000009
【図８】
2011067511.tif 000010
【図９】
2011067511.tif 000011
【図１０】
2011067511.tif 000012
【図１１】
2011067511.tif 000013
【図１２】
2011067511.tif 000014